(57)【要約】【課題】特殊な温度環境下においても、誰でも袋体に充填された内包物の温度を簡便にかつ迅速に把握することを可能とする袋体を提供する。また、当該袋体にセメント系材料が充填されたセメント系製品、及びその施工方法を提供する。【解決手段】温度に依存して使用条件が変わる内包物を充填するための袋体であって、当該袋体にサーモテープが接着されていることを特徴とする袋体。また、前記内包物としてセメント系材料が充填されていることを特徴とするセメント系製品。さらに、前記セメント系材料と、少なくとも遅延剤を用いるセメント系製品の施工方法であって、前記サーモテープによる温度表示値を参照し、遅延剤の添加量を調整することを特徴とする請求項４に記載のセメント系製品の施工方法。【選択図】図１
2017171377.tif 000002
【特許請求の範囲】
【請求項１】
温度に依存して使用条件が変わる内包物を充填するための袋体であって、当該袋体にサーモテープが接着されていることを特徴とする袋体。
【請求項２】
少なくとも内袋と外袋を有する袋体であって、内袋にサーモテープが接着されており、かつ、当該サーモテープが接着された位置にある外袋の一部が、当該サーモテープを外部から判別可能な透明部位を有することを特徴とする請求項１に記載の袋体。
【請求項３】
さらに、前記サーモテープの温度変化の表示に対応した内包物の使用条件が明記されていることを特徴とする請求項１又は２に記載の袋体。
【請求項４】
請求項１〜３のいずれか１項に記載の袋体に、前記内包物としてセメント系材料が充填されていることを特徴とするセメント系製品。
【請求項５】
前記セメント系材料と、少なくとも遅延剤を用いるセメント系製品の施工方法であって、前記サーモテープによる温度表示値を参照し、遅延剤の添加量を調整することを特徴とする請求項４に記載のセメント系製品の施工方法。
【発明の詳細な説明】
【技術分野】
【０００１】
本発明はセメント系材料等に使用される袋体、ならびに当該袋体にセメント系材料が充填されたセメント系製品及びその施工方法に関する。
【背景技術】
【０００２】
セメント系材料を用いてセメント系製品を製造する場合、セメント系材料の粉体温度を把握する必要がある。例えば、使用時の環境温度に応じて添加する遅延剤量を調整する必要が有る材料の場合、セメント系材料の粉体温度を把握し、それを参照して、遅延剤の添加量を決定することになる。セメント系材料の温度に対して適切な量の遅延剤が添加されないと、十分な可使時間がとれなかったり、逆に可使時間が長すぎて強度発現が遅れる虞がある。
【０００３】
セメント系材料は、一般には袋体に詰められていることが多い。袋体のセメント系材料を使用する場合、それが保管されている場所が問題となる場合がある。例えば、夏場、日向に保管されているような場合は、室内保管されたものとは粉体温度が異なる。さらに、袋体のセメント系製品は積み上げられて保管されていることが多いが、最上部の袋と、中間部、最下部の袋では、材料温度が異なる場合がある。このような場合、現場において複数のセメント製品の袋体を開封して、それぞれのセメント系材料の温度を温度計で測定することは煩雑である。
【０００４】
一方、温度を感知して色調等が変化するサーモテープあるいは温度シールが知られている。このテープは、温度の上下に伴い、色や数字が変化し、温度域を一目で知ることができる。一定の温度領域で色調が変化するもの、該当する温度を数字として呈色するものなど、用途に応じて多くの種類のサーモテープが市販されている。用途としては、例えば、電気設備の異常温度を察知する保守管理用、加熱工程での火傷防止用などが挙げられる。
【０００５】
セメント・コンクリート関連での活用例としては、コンクリート打設用の型枠に密着設置した事例が提案されている（特許文献１）。
【先行技術文献】
【特許文献】
【０００６】
【特許文献１】特開平１０−８２１７２号公報
【発明の概要】
【発明が解決しようとする課題】
【０００７】
従って、本発明の課題は、誰でもセメント系材料の温度を簡便に把握することが可能であり、遅延剤添加量の設定作業等を簡便に行うことができるセメント系材料用袋体を提供するものである。また、前記袋体にセメント系材料が充填されたセメント系製品およびその施工方法を提供するものである。
加えて、検討された袋体は、セメント系材料に限らず、温度に依存して使用条件が変わる製品にも適用可能であることが判明したことから、本発明を完成するに至った。
【課題を解決するための手段】
【０００８】
本発明は、温度に依存して使用条件が変わる内包物を充填するための袋体であって、当該袋体にサーモテープが接着されていることを特徴とする袋体を提案する。
【０００９】
本発明は、少なくとも内袋と外袋を有する袋体であって、内袋にサーモテープが接着されており、かつ、当該サーモテープが接着された位置にある外袋の一部が、当該サーモテープを外部から判別可能な透明部位を有することを特徴とする前記袋体を提案する。
【００１０】
本発明は、さらに、前記サーモテープの温度変化の表示に対応した内包物の使用条件が明記されていることを特徴とする前記袋体を提案する。
【００１１】
本発明は、前記袋体に、前記内包物としてセメント系材料が充填されていることを特徴とするセメント系製品を提案する。
【００１２】
本発明は、前記セメント系材料と、少なくとも遅延剤を用いるセメント系製品の施工方法であって、前記サーモテープによる温度表示値を参照し、遅延剤の添加量を調整することを特徴とする前記セメント系製品の施工方法を提案する。
【発明の効果】
【００１３】
特殊な温度環境下においても、誰でも袋体に充填された内包物の温度を簡便にかつ迅速に把握することができる。このため、例えばセメント系材料が内包物として充填されている場合は、袋体毎に、温度条件に応じたセメント系材料の使用条件を設定し、セメント系製品の施工を簡便かつ適切に行うことができる。
【図面の簡単な説明】
【００１４】
【図１】本発明の袋体の１形態を表す概略図（外観写真）
【図２】本発明の袋体の１形態を表す概略図（断面図）
【図３】本発明の袋体の１形態を表す概略図（断面図）
【図４】サーモテープの発色と遅延剤の使用量を明示した表記例
【発明を実施するための形態】
【００１５】
本発明の実施形態が以下に説明される。
第１の発明は、袋体である。本袋体は、温度に依存して使用条件が変わる内包物を充填するために用いられるものであって、当該袋体にサーモテープが密着して具備されていることを特徴とする。さらに、当該袋体には、サーモテープの温度変化の表示に対応した内包物の使用条件が明記されていることが好ましい。
【００１６】
本発明における袋体としては、紙袋体、あるいは撥水処理などが施された紙袋体、ビニール袋体等が用いられるが、これらに限定されるものではない。また、内袋を有するような複数の袋体構造からなるのでもよく、これらを含めて、一体として袋体という。袋体としての特性は、例えば、内包物の重さや充填作業に耐えうるだけの強度を有し、かつ外部からの汚染物（コンタミ）や湿気（水分）等の浸入を防ぐことができるものであることが好ましい。
【００１７】
本発明におけるサーモテープは、温度に応じて表面の色等が変化するテープ状の示温材である。サーモシール、サーモラベルともいう。一定の温度範囲における温度表示が可逆的に変化するものであればいずれのものも使用できる。温度の変化に伴い色調が変化するもの、あるいは温度の変化に伴い温度の数値として表示されるものなどが挙げられ、市販されているものを使用できる。具体的な製品としては、例えば、日油技研工業社製のデジタルサーモテープ等が挙げられる。
【００１８】
表示可能な温度範囲としては、内包物の使用条件に対応したものが望ましい。例えば、内包物が速硬性のセメント系材料であって、凝結遅延剤が併用される場合は、最低表示温度が１０℃以下、最高表示温度が３０℃以上であることが好ましく、さらに最低表示温度が５℃以下、最高表示温度が４０℃以上であることが好ましい。また、低温から高温まで５ ℃以下のきざみで表示できることが好ましい。
【００１９】
サーモテープ２が袋体１に密着して具備される方法としては、使用者に分かるように明瞭に表示されるものであれば、特に限定されるものではない。例えば、簡便には袋体１の表面に貼付される方法があげられる。この場合の貼付位置としては、袋体の中央が好ましい（図１参照）。
【００２０】
また、外袋４と内袋５を有する袋体３の場合であって、内袋５に前記サーモテープ６が貼付されており、かつ、サーモテープ６が貼付された位置にある外袋４の一部が、サーモテープ６を外部から判別できるような透明部７を有している袋体でもよい（図２参照）。この袋体３は、内包物８とより近い位置にサーモテープ６が設置されることから内包物８の実温度により近い温度が表示される利点がある。なお、外袋と内袋の間に防湿性を有する中袋を有していてもよい。但し、この場合、中袋は透明性を有する必要がある。
【００２１】
さらに、引抜き部１０（引抜き用のシート）と一体化したサーモテープ１１が袋体９の内部に有り、使用（施工）の際に、袋体９の外部から引抜き部１０を引っ張り、サーモテープ１１を引き抜いて内包物１２の温度を測定できる様になっていてもよい（図３参照）。
【００２２】
さらに、本発明の袋体には、サーモテープによる表示温度に対応した内包物の使用方法が明記されていることが好ましい。例えば、内包物がセメント系材料であって、遅延剤が併用される場合、環境温度に応じた遅延剤の使用量が明記されていることが好ましい。表記例を図４に示す。これにより、いかなる現場においても、遅延剤の使用量を迅速に決定することが出来る。
【００２３】
第２の発明は、上記袋体内に内包物としてセメント系材料が充填されたセメント系製品である。
【００２４】
セメント系材料としては、各種ポルトランドセメント、ポリマーセメント、プレミックスモルタル、速硬材などのセメント用混和材等が挙げられる。特に、遅延剤を併用する必要がある速硬性のセメント系材料等の場合に好適である。
【００２５】
第３の発明は、セメント系製品の施工方法である。当該セメント施工方法は、前記サーモテープにより明示された温度を参照することを特徴とする。さらに、前記セメント系製品と、少なくとも遅延剤を用いるセメント系製品の施工方法であって、前記サーモテープにより明示された温度を参照し、遅延剤の添加量を調整することを特徴とする。
【００２６】
ここで用いられる遅延剤としては、有機系、無機系のいずれの遅延剤でもよく、例えば、クエン酸、酒石酸、ヘプトン酸、コハク酸、リグニン酸、珪フッ化物又はそれらの塩等が挙げられる。
【００２７】
セメント系製品として速硬性プレミックスモルタルを、遅延剤と併用した場合の施工方法について、具体的な実施形態の事例を以下に説明する。
【００２８】
＜事例１＞袋体は２０±２℃に温度管理された室内にあり、５袋積まれた状態にある場合
一番上に積まれた製品の表示温度が２１℃であった。他の製品の表示温度も概ね２０〜２３℃であり、製品の温度は２２℃と判断した。技術資料に記載されている遅延剤（クエン酸）の適正量は、２２℃では製品に対して０．２４質量％であった。そこで、製品１袋２５ｋｇに対して、遅延剤６０ｇを準備した。製品５袋（セメント系材料計１２５ｋｇ）と、遅延剤（計３００ｇ）と、所定量の混和液とを混練し、セメント系製品の混練物を得た。得られた混練物の始発（貫入抵抗値で３．５Ｎ／ｍｍ２）時間は３５分程度であり、設計値３０〜４５分の範囲であった。
【００２９】
＜事例２＞袋体は外気温度３０℃の日の当たる室外にあり、５袋積まれた状態にある場合
一番上に積まれた製品の表示温度が３５℃であった。技術資料に記載されている遅延剤の適正量は、製品に対して０．４２質量％であった。そこで製品１袋２５ｋｇに対して遅延剤１０５ｇを準備した。一番上から２袋目および３袋目の表示温度は３３℃であった。遅延剤の適正量は、製品に対して０．４質量％であった。そこで製品１袋２５ｋｇに対して遅延剤１００ｇを準備した。一番上から４袋目および５袋目の表示温度は３０℃であった。遅延剤の適正量は、製品に対して０．３６質量％であった。そこで製品１袋２５ｋｇに対して遅延剤９０ｇを準備した。製品５袋（セメント系材料計１２５ｋｇ）と、遅延剤（計４８５ｇ）と、所定量の混和液とを混練し、セメント系製品の混練物を得た。得られた混練物の始発（貫入抵抗値で３．５Ｎ／ｍｍ２）時間は３０〜３５分であり、設計値３０〜４５分の範囲であった。
【００３０】
＜事例３＞袋体は室温２５℃の室内に２袋、外気温度３０℃の日の当たる屋外に３袋積まれた状態にある場合
室内に積まれていた製品の表示温度は２袋とも２５℃であった。遅延剤の適正量は、０．２８質量％であった。そこで製品１袋２５ｋｇに対して遅延剤７０ｇを準備した。屋外の一番上につまれた製品の表示温度は３５℃であった。遅延剤の適正量は、０．４２質量％であった。そこで製品１袋２５ｋｇに対して遅延剤１０５ｇを準備した。一番上から２袋目および３袋目の製品の表示温度は３１℃であった。遅延剤の適正量は０．３８質量％であった。そこで製品１袋に対して遅延剤９５ｇを準備した。製品５袋（セメント系材料計１２５ｋｇ）と、遅延剤（計４３５ｇ）と、所定量の混和液とを混練し、セメント系製品の混練物を得た。得られた混練物の始発（貫入抵抗値で３．５Ｎ／ｍｍ２）時間は３２〜３８分であり、設計値３０〜４５分の範囲であった。
【符号の説明】
【００３１】
１、３、９  袋体
２、６、１１  サーモテープ
４  外袋
５  中袋
７  透明部（ビニールシート）
８、１２  内包物
１０  引抜き部（引抜き用のシート）
【図１】
2017171377.tif 000003
【図２】
2017171377.tif 000004
【図３】
2017171377.tif 000005
【図４】
2017171377.tif 000006